(57)【要約】【課題】容易に制御指示を生成することができる制御指示生成装置、コンピュータプログラム及び制御指示生成方法を提供する。【解決手段】制御指示生成装置は、予測需要電力量の時間的推移を表示画面に表示する表示制御部と、表示画面に目標需要電力量の時間的推移を描画する操作を受け付ける受付部と、表示画面に表示された予測需要電力量及び描画された目標需要電力量に基づいて、制御指示を生成する生成部とを備える。【選択図】図２
2018206293.tif 000002
【特許請求の範囲】
【請求項１】
電力の供給側から需要側に対して負荷制御に関する制御指示を生成する制御指示生成装置であって、
予測需要電力量の時間的推移を表示画面に表示する表示制御部と、
前記表示画面に目標需要電力量の時間的推移を描画する操作を受け付ける受付部と、
前記表示画面に表示された予測需要電力量及び描画された目標需要電力量に基づいて、制御指示を生成する生成部と
を備える制御指示生成装置。
【請求項２】
前記表示画面上で前記予測需要電力量及び目標需要電力量が交差する複数の位置に基づいて前記制御指示に係る制御期間を特定する特定部を備え、
前記生成部は、
前記特定部が特定した制御期間に亘る制御指示を生成する請求項１に記載の制御指示生成装置。
【請求項３】
前記特定部は、
前記表示画面上で前記予測需要電力量及び目標需要電力量が交差する第１位置に基づいて前記制御指示に係る制御開始時点を特定し、
前記表示画面上で前記予測需要電力量及び目標需要電力量が交差する前記第１位置よりも時間経過が後の第２位置に基づいて前記制御指示に係る制御終了時点を特定する請求項２に記載の制御指示生成装置。
【請求項４】
前記生成部は、
前記制御期間を単位時間で複数区分した単位区分毎に、前記予測需要電力量と前記目標需要電力量との電力量差に基づく制御指示を生成する請求項２又は請求項３に記載の制御指示生成装置。
【請求項５】
前記表示制御部は、
前記生成部が生成した制御指示を実行した場合の推定需要電力量の時間的推移を前記表示画面に表示する請求項１から請求項４のいずれか一項に記載の制御指示生成装置。
【請求項６】
前記表示制御部は、
前記生成部が生成した制御指示を実行した場合の電力量削減に係る情報を前記表示画面に表示する請求項１から請求項５のいずれか一項に記載の制御指示生成装置。
【請求項７】
前記生成部が生成した制御指示を所定の形式で出力する出力部を備える請求項１から請求項６のいずれか一項に記載の制御指示生成装置。
【請求項８】
コンピュータに、電力の供給側から需要側に対して負荷制御に関する制御指示を生成させるためのコンピュータプログラムであって、
コンピュータに、
予測需要電力量の時間的推移を表示画面に表示する処理と、
前記表示画面に目標需要電力量の時間的推移を描画する操作を受け付ける処理と、
前記表示画面に表示された予測需要電力量及び描画された目標需要電力量に基づいて、制御指示を生成する処理と
を実行させるコンピュータプログラム。
【請求項９】
電力の供給側から需要側に対して負荷制御に関する制御指示を生成する制御指示生成方法であって、
予測需要電力量の時間的推移を表示画面に表示制御部が表示し、
前記表示画面に目標需要電力量の時間的推移を描画する操作を受付部が受け付け、
前記表示画面に表示された予測需要電力量及び描画された目標需要電力量に基づいて、制御指示を生成部が生成する制御指示生成方法。
【発明の詳細な説明】
【技術分野】
【０００１】
本発明は、制御指示生成装置、コンピュータプログラム及び制御指示生成方法に関する。
【背景技術】
【０００２】
電力需給のバランスを最適に制御する仕組みであるデマンドレスポンス（ＤＲ）が注目されている。デマンドレスポンスは、電力の供給に対して需要側を調整するものであり、実際に需要側を調整する場合には、電力事業者、アグリゲータと呼ばれる事業者、需要家及び発電所等の間でメッセージ交換が行われる（特許文献１参照）。例えば、太陽光発電所での過剰発電時には抑制制御が行われる。
【先行技術文献】
【特許文献】
【０００３】
【特許文献１】特開２０１３−１６１１４４号公報
【発明の概要】
【発明が解決しようとする課題】
【０００４】
電力の調整を行う場合には、規格等に従った制御指示を作成して需要家等に対して伝達する必要があるが、制御指示を手動で作成しなければならない状況下では、制御指示を作成するための設定項目が多いため、操作者の負担が大きくなる。
【０００５】
本発明は、斯かる事情に鑑みてなされたものであり、容易に制御指示を生成することができる制御指示生成装置、コンピュータプログラム及び制御指示生成方法を提供することを目的とする。
【課題を解決するための手段】
【０００６】
本発明の実施の形態に係る制御指示生成装置は、電力の供給側から需要側に対して負荷制御に関する制御指示を生成する制御指示生成装置であって、予測需要電力量の時間的推移を表示画面に表示する表示制御部と、前記表示画面に目標需要電力量の時間的推移を描画する操作を受け付ける受付部と、前記表示画面に表示された予測需要電力量及び描画された目標需要電力量に基づいて、制御指示を生成する生成部とを備える。
【０００７】
本発明の実施の形態に係るコンピュータプログラムは、コンピュータに、電力の供給側から需要側に対して負荷制御に関する制御指示を生成させるためのコンピュータプログラムであって、コンピュータに、予測需要電力量の時間的推移を表示画面に表示する処理と、前記表示画面に目標需要電力量の時間的推移を描画する操作を受け付ける処理と、前記表示画面に表示された予測需要電力量及び描画された目標需要電力量に基づいて、制御指示を生成する処理とを実行させる。
【０００８】
本発明の実施の形態に係る制御指示生成方法は、電力の供給側から需要側に対して負荷制御に関する制御指示を生成する制御指示生成方法であって、予測需要電力量の時間的推移を表示画面に表示制御部が表示し、前記表示画面に目標需要電力量の時間的推移を描画する操作を受付部が受け付け、前記表示画面に表示された予測需要電力量及び描画された目標需要電力量に基づいて、制御指示を生成部が生成する。
【発明の効果】
【０００９】
本発明によれば、容易に制御指示を生成することができる。
【図面の簡単な説明】
【００１０】
【図１】デマンドレスポンスに係る情報伝達モデルの一例を示す模式図である。
【図２】本実施の形態の制御指示生成装置としての電力需給管理装置の構成の一例を示すブロック図である。
【図３】本実施の形態の電力需給管理装置による目標需要電力量の描画の一例を示す模式図である。
【図４】本実施の形態の電力需給管理装置による制御指示の生成方法の第１例を示す模式図である。
【図５】比較例としての制御指示を手動で設定する場合の設定画面の一例を示す模式図である。
【図６】本実施の形態の電力需給管理装置が生成した制御指示に基づく各電力量の表示例の一例を示す模式図である。
【図７】本実施の形態の電力需給管理装置が生成した制御指示に基づく削減効果の表示例の一例を示す模式図である。
【図８】本実施の形態の電力需給管理装置による制御指示の生成方法の第２例を示す模式図である。
【図９】本実施の形態の電力需給管理装置による目標需要電力量の描画の他の例を示す模式図である。
【図１０】本実施の形態の電力需給管理装置による処理手順の一例を示すフローチャートである。
【発明を実施するための形態】
【００１１】
［本願発明の実施形態の説明］
本実施の形態に係る制御指示生成装置は、電力の供給側から需要側に対して負荷制御に関する制御指示を生成する制御指示生成装置であって、予測需要電力量の時間的推移を表示画面に表示する表示制御部と、前記表示画面に目標需要電力量の時間的推移を描画する操作を受け付ける受付部と、前記表示画面に表示された予測需要電力量及び描画された目標需要電力量に基づいて、制御指示を生成する生成部とを備える。
【００１２】
本実施の形態に係るコンピュータプログラムは、コンピュータに、電力の供給側から需要側に対して負荷制御に関する制御指示を生成させるためのコンピュータプログラムであって、コンピュータに、予測需要電力量の時間的推移を表示画面に表示する処理と、前記表示画面に目標需要電力量の時間的推移を描画する操作を受け付ける処理と、前記表示画面に表示された予測需要電力量及び描画された目標需要電力量に基づいて、制御指示を生成する処理とを実行させる。
【００１３】
本実施の形態に係る制御指示生成方法は、電力の供給側から需要側に対して負荷制御に関する制御指示を生成する制御指示生成方法であって、予測需要電力量の時間的推移を表示画面に表示制御部が表示し、前記表示画面に目標需要電力量の時間的推移を描画する操作を受付部が受け付け、前記表示画面に表示された予測需要電力量及び描画された目標需要電力量に基づいて、制御指示を生成部が生成する。
【００１４】
表示制御部は、予測需要電力量の時間的推移を表示画面に表示する。予測需要電力量は、例えば、需要調整未実施の場合、あるいは需要調整実施後の需要電力量の予測値であり、生成部で制御指示を生成する前の当初の需要電力量の予測値である。予測需要電力量の時間的推移は、例えば、表示画面上で曲線状のグラフによって表すことができる。
【００１５】
受付部は、マウス、トラックパッド（タッチパッド）、スタイラスペンなどによる操作を受け付け、表示画面に目標需要電力量の時間的推移を描画する操作を受け付ける。目標需要電力量は、例えば、電力供給側の状況変化によって生じる電力需給のアンバランスをバランスさせるための目標とする需要電力量である。目標需要電力量は、例えば、表示画面上で曲線状のグラフによって描画することができる。
【００１６】
生成部は、表示画面に表示された予測需要電力量及び描画された目標需要電力量に基づいて、制御指示を生成する。例えば、予測需要電力量と目標需要電力量（＜予測需要電力量）との差が大きい場合には、需要電力の抑制量が大きい制御指令を生成し、予測需要電力量と目標需要電力量（＜予測需要電力量）との差が小さい場合には、需要電力の抑制量が小さい制御指令を生成することができる。制御指示は、所要の規格等に従った形式で生成することができる。
【００１７】
上述の構成により、表示画面上で目標需要電力量を描画するだけで制御指示を生成することができるので、制御指示を作成するための設定項目の入力が不要になり、容易に制御指示を生成することができる。また、表示画面に表示された予測需要電力量を参考にしつつ目標需要電力量を描画するので、直感的に制御指示を生成することができる。
【００１８】
本実施の形態に係る制御指示生成装置は、前記表示画面上で前記予測需要電力量及び目標需要電力量が交差する複数の位置に基づいて前記制御指示に係る制御期間を特定する特定部を備え、前記生成部は、前記特定部が特定した制御期間に亘る制御指示を生成する。
【００１９】
特定部は、表示画面上で予測需要電力量及び目標需要電力量が交差する複数の位置に基づいて制御指示に係る制御期間を特定する。生成部は、特定部が特定した制御期間に亘る制御指示を生成する。例えば、表示画面上で、目標需要電力量が予測需要電力量と２箇所で交差するように描画すれば、制御指示に係る制御期間を簡単に設定することができる。
【００２０】
本実施の形態に係る制御指示生成装置において、前記特定部は、前記表示画面上で前記予測需要電力量及び目標需要電力量が交差する第１位置に基づいて前記制御指示に係る制御開始時点を特定し、前記表示画面上で前記予測需要電力量及び目標需要電力量が交差する前記第１位置よりも時間経過が後の第２位置に基づいて前記制御指示に係る制御終了時点を特定する。
【００２１】
特定部は、表示画面上で予測需要電力量及び目標需要電力量が交差する第１位置に基づいて制御指示に係る制御開始時点を特定する。第１位置に基づくとは、第１位置に対応する時点を制御開始時点として特定するだけでなく、第１位置に対応する時点の近傍の時点を制御開始時点として特定してもよい。
【００２２】
また、特定部は、表示画面上で予測需要電力量及び目標需要電力量が交差する第１位置よりも時間経過が後の第２位置に基づいて制御指示に係る制御終了時点を特定する。第２位置に基づくとは、第２位置に対応する時点を制御終了時点として特定するだけでなく、第２位置に対応する時点の近傍の時点を制御終了時点として特定してもよい。これにより、制御指示に係る制御開始時点及び制御終了時点を簡単に設定することができる。
【００２３】
本実施の形態に係る制御指示生成装置において、前記生成部は、前記制御期間を単位時間で複数区分した単位区分毎に、前記予測需要電力量と前記目標需要電力量との電力量差に基づく制御指示を生成する。
【００２４】
生成部は、制御期間を単位時間で複数区分した単位区分毎に、予測需要電力量と目標需要電力量との電力量差に基づく制御指示を生成する。単位時間（単位制御時間とも称する）は、規格等に予め定められており、例えば、３０分、１５分などである。これにより、目標需要電力量を達成するための抑制量、すなわち制御レベル（制御の強さ）を単位時間毎に設定することができる。
【００２５】
本実施の形態に係る制御指示生成装置において、前記表示制御部は、前記生成部が生成した制御指示を実行した場合の推定需要電力量の時間的推移を前記表示画面に表示する。
【００２６】
表示制御部は、生成部が生成した制御指示を実行した場合の推定需要電力量の時間的推移を表示画面に表示する。描画した目標需要電力量は、需要電力量の理想値と考えることができる。実際には、需要家等の需要電力を調整すべく電気機器等を制御する場合、電気機器等の過渡状態での電力消費特性によって、需要電力量の変化が遅延する場合がある。かかる遅延を考慮した推定需要電力量を表示画面に表示することによって、目標需要電力量の差違が明瞭になるので、目標需要電力量をさらに修正（更新）する必要があるか否かの判断材料とすることができる。
【００２７】
本実施の形態に係る制御指示生成装置において、前記表示制御部は、前記生成部が生成した制御指示を実行した場合の電力量削減に係る情報を前記表示画面に表示する。
【００２８】
表示制御部は、生成部が生成した制御指示を実行した場合の電力量削減に係る情報を表示画面に表示する。電力量削減に係る情報は、例えば、抑制することができた電力量、あるいは節約することができた電気料金などを含む。これにより、目標電力量によって得られる効果を把握することができる。
【００２９】
本実施の形態に係る制御指示生成装置は、前記生成部が生成した制御指示を所定の形式で出力する出力部を備える。
【００３０】
出力部は、生成部が生成した制御指示を所定の形式で出力する。所定の形式は、例えば、規格等に定められたフォーマットとすることができる。これにより、規格等で定められた形式に従って制御指示を需要家等へ伝達することができる。
【００３１】
［本願発明の実施形態の詳細］
以下、本発明を実施の形態を示す図面に基づいて説明する。図１はデマンドレスポンスに係る情報伝達モデルの一例を示す模式図である。デマンドレスポンスは、電力需給のバランスを最適化する仕組みであり、図１に示すように、電力会社、アグリゲータ、需要家などの間でメッセージの伝達が行われる。なお、アグリゲータは、複数の需要家を取りまとめて電力需給を制御する事業者である。
【００３２】
具体的には、電力会社（電力事業者ともいう）は、アグリゲータに対して制御指示（メッセージ又は制御イベントともいう）を伝達するようにモデル化されている。また、アグリゲータは、需要家に対して制御指示を伝達するようにモデル化されている。なお、図１の例では、需要家を三つ図示しているが、需要家の数は図１の例に限定されるものではない。また、図１の例では、アグリゲータを一つ図示しているが、アグリゲータの数は図１の例に限定されるものではない。また、アグリゲータは、階層的に複数設けることもできる。また、図示していないが、アグリゲータを経由することなく電力会社から直接需要家及び発電所（太陽光発電所を含む）に対して制御指示を伝達することもできる。
【００３３】
図１に示すように、電力会社には、系統側管理装置１０が設置されている。アグリゲータには、電力需給管理装置５０が設置されている。また、需要家には、電力管理装置１００が設置されている。
【００３４】
系統側管理装置１０は、規格（例えば、ＯｐｅｎＡＤＲなど）等に予め定められたフォーマットで表される制御指示を電力需給管理装置５０へ送信する。系統側管理装置１０が送信する制御指示には、例えば、「１２：００〜１５：００まで使用電力量を８０％に抑制し、１４：００〜１５：００まで使用電力量を７０％に抑制する」などの需要電力量の抑制量、需要電力量を抑制するタイミング（開始時刻、終了時刻、制御期間等）などを含めることができる。
【００３５】
電力需給管理装置５０は、系統側管理装置１０から制御指示を受信した場合、需要電力量の抑制量を各需要家に割り振り、それぞれの需要家に対する需要電力量の抑制量を決定し、規格（例えば、ＯｐｅｎＡＤＲなど）等に予め定められたフォーマットで表される制御指示を各需要家の電力管理装置１００へ送信する。
【００３６】
電力管理装置１００は、電力需給管理装置５０から制御指示を受信した場合、需要家に設置された複数の電気機器の動作を制御することによって、電力需給管理装置５０によって割り当てられた抑制量の電力消費の削減を図る。
【００３７】
図２は本実施の形態の制御指示生成装置としての電力需給管理装置５０の構成の一例を示すブロック図である。図２に示すように、電力需給管理装置５０は、装置全体を制御する制御部５１、通信部５２、特定部５３、生成部５４、記憶部５５、表示制御部５６、描画部５７、受付部５８などを備える。また、電力需給管理装置５０は、表示画面６１を有する表示装置６０と接続されている。なお、電力需給管理装置５０（例えば、制御部５１）は、系統側管理装置１０から制御指示を受信した場合、各電力管理装置１００へ送信する制御指示を自動的に生成することができる。本実施の形態は、各電力管理装置１００へ送信する制御指示を手動で生成する際の生成方法に関するものである。
【００３８】
通信部５２は、系統側管理装置１０との間の通信機能を有し、系統側管理装置１０が送信した制御指示を受信することができる。また、通信部５２は、各電力管理装置１００との間の通信機能を有し、各電力管理装置１００へ制御指示を送信することができる。
【００３９】
記憶部５５は、系統側管理装置１０が送信した制御指示を記憶することができる。また、記憶部５５は、各需要家における電力情報等（例えば、消費電力、電気機器の稼働状態など）を記憶する。
【００４０】
表示制御部５６は、表示装置６０との間のインタフェース機能を有する。表示制御部５６は、予測需要電力量の時間的推移を表示画面６１に表示する。予測需要電力量は、例えば、需要調整未実施の場合、あるいは需要調整実施後の需要電力量の予測値であり、当初（生成部５４で制御指示を生成する前）の需要電力量の予測値である。予測需要電力量の時間的推移は、一つの需要家に対するものでもよく、あるいは、複数の需要家の需要電力量の合計値の予測でもよい。予測需要電力量の時間的推移は、例えば、表示画面６１上で曲線状のグラフによって表すことができるが、曲線状のグラフに限定されるものではなく、棒グラフ状でもよい。なお、電力需給管理装置５０及び表示装置６０それぞれの各機能は、図２の例に限定されるものではなく、電力需給管理装置５０及び表示装置６０の間で適宜振り分けることができる。また、電力需給管理装置５０及び表示装置６０は、お互いに近くに設けてもよく、あるいは通信ネットワークを介して接続することにより、近傍に設置しなくてもよい。
【００４１】
受付部５８は、例えば、マウス、トラックパッド（タッチパッド）、又はスタイラスペンなどで構成される。受付部５８は、マウス、トラックパッド（タッチパッド）、又はスタイラスペンなどによる操作を受け付け、表示画面６１に目標需要電力量の時間的推移を描画する操作を受け付けることができる。目標需要電力量は、例えば、電力供給側の状況変化によって生じる電力需給のアンバランスをバランスさせるための目標とする需要電力量である。具体的には、受付部５８は、操作者が表示画面６１上のカーソルを移動させる操作を受け付ける。
【００４２】
描画部５７は、受付部５８で受け付けた操作に応じて、表示画面６１に目標需要電力量の時間的推移を描画する。具体的には、描画部５７は、カーソルの移動軌跡に沿った目標需要電力量の時間的推移を描画することができる。なお、描画部５７は、実施のカーソルの移動軌跡が滑らかでない場合、移動軌跡に沿って滑らかな曲線となるように目標需要電力量の時間的推移を描画してもよい。
【００４３】
予測需要電力量の時間的推移が、一つの需要家に対するものである場合、目標需要電力量の時間的推移も一つの需要家に対するものである。また、予測需要電力量の時間的推移が、複数の需要家の需要電力量の合計値の予測である場合、目標需要電力量の時間的推移も当該複数の需要家を纏めた目標値である。
【００４４】
図３は本実施の形態の電力需給管理装置５０による目標需要電力量の描画の一例を示す模式図である。図中、横軸は時間を示し、制御指示に係る制御期間が、数時間程度である場合、２４時間ではなく、当該数時間に亘る期間を表示する。なお、０：００から２４：００までの１日の時間を表すこともできる。縦軸は電力量を示す。
【００４５】
図３に示すように、表示制御部５６は、予測需要電力量の時間的推移を表示画面６１に表示している。目標需要電力量を描画する場合、操作者は、マウスのカーソルＭを、例えば、符号Ｐ１で示す位置と、符号Ｐ２で示す位置との間で、所要の目標需要電力量の変化を表すようにカーソルＭを移動させることにより、目標需要電力量の時間的推移を設定することができる。
【００４６】
なお、操作者は、表示画面６１に描画された目標需要電力量を見て、例えば、当初期待の効果が得られないと分かった場合、期待通りに目標需要電力量が描画されていない場合、あるいは制御期間内に異常事態（例えば、発電機の故障など）が発生した場合などには、予測需要電力量を修正する操作を行うことができる。予測需要電力量を修正する場合、例えば、描画された予測需要電力量の時間的推移を全て取り消してもよく、一部だけを選択して修正してもよい。
【００４７】
生成部５４は、表示画面６１に表示された予測需要電力量及び描画された目標需要電力量に基づいて、制御指示を生成する。例えば、予測需要電力量と目標需要電力量（＜予測需要電力量）との差が大きい場合には、需要電力の抑制量が大きい制御指令を生成し、予測需要電力量と目標需要電力量（＜予測需要電力量）との差が小さい場合には、需要電力の抑制量が小さい制御指令を生成することができる。制御指示は、所要の規格等（例えば、ＯｐｅｎＡＤＲなど）に従った形式で生成することができる。
【００４８】
上述の構成により、表示画面６１上で目標需要電力量を描画するだけで制御指示を生成することができるので、制御指示を手動で作成するための設定項目の入力が不要になり、容易に制御指示を生成することができる。また、表示画面６１に表示された予測需要電力量を参考にしつつ目標需要電力量を描画するので、直感的に制御指示を生成することができる。
【００４９】
次に、制御指示の生成方法の詳細について説明する。
【００５０】
図４は本実施の形態の電力需給管理装置５０による制御指示の生成方法の第１例を示す模式図である。図４において、上段の図は、図３と同様であり、下段の図は、制御指令を模式的に示す。
【００５１】
表示画面６１上で目標需要電力量が描画された場合、特定部５３は、表示画面６１上で予測需要電力量及び目標需要電力量が交差する複数の位置に基づいて制御指示に係る制御期間を特定する。
【００５２】
生成部５４は、特定部５３が特定した制御期間に亘る制御指示を生成する。例えば、表示画面６１上で、予測需要電力量と２箇所で交差するように目標需要電力量を描画すれば、制御指示に係る制御期間を簡単に設定することができる。
【００５３】
より具体的には、特定部５３は、表示画面６１上で予測需要電力量及び目標需要電力量が交差する第１位置（図４中、符号Ｐ１で示す位置）に基づいて制御指示に係る制御開始時点を特定する。第１位置に基づくとは、第１位置に対応する時点を制御開始時点として特定するだけでなく、第１位置に対応する時点の近傍の時点を制御開始時点として特定してもよい。
【００５４】
図４の例では、横軸の時間は、単位制御時間（例えば、３０分又は１５分）によって区分されている。単位制御時間（単位時間）は、電力の供給側（例えば、制御する側）と電力の需要側（例えば、制御される側）との間の取り決めによって予め定められている。第１位置と単位制御時間の区切りとが一致する場合には、第１位置に対応する時点を制御開始時点として特定する。しかし、図４の例のように、第１位置と単位制御時間の区切りとが一致しない場合には、第１位置に最も近い単位制御時間の区切りを制御開始時点として特定することができる。
【００５５】
また、特定部５３は、表示画面６１上で予測需要電力量及び目標需要電力量が交差する第１位置よりも時間経過が後の第２位置（図４中、符号Ｐ２で示す位置）に基づいて制御指示に係る制御終了時点を特定する。第２位置に基づくとは、第２位置に対応する時点を制御終了時点として特定するだけでなく、第２位置に対応する時点の近傍の時点を制御終了時点として特定してもよい。
【００５６】
第２位置と単位制御時間の区切りとが一致する場合には、第２位置に対応する時点を制御終了時点として特定する。しかし、図４の例のように、第２位置と単位制御時間の区切りとが一致しない場合には、第２位置に最も近い単位制御時間の区切りを制御開始時点として特定することができる。
【００５７】
これにより、制御指示に係る制御開始時点及び制御終了時点を簡単に設定することができる。
【００５８】
生成部５４は、制御期間を単位制御時間（単位時間）で複数区分した単位区分毎に、予測需要電力量と目標需要電力量との電力量差に基づく制御指示を生成する。
【００５９】
例えば、図４の例では、抑制量（制御の強さ）を割合（％）で指定する場合を示し、制御指示（制御イベント）は、時間経過とともに、段階的に、９０％、６８％、６１％、７２％、７９％のように５つのインターバル期間で表される。例えば、９０％は、当該インターバル期間での予測需要電力量に対する目標需要電力量の割合であり、抑制量を表している。
【００６０】
これにより、目標需要電力量を達成するための抑制量、すなわち制御レベル（制御の強さ）を、開始時刻から終了時刻までのインターバル期間に亘って単位制御時間毎に自動的に設定することができる。
【００６１】
図５は比較例としての制御指示を手動で設定する場合の設定画面の一例を示す模式図である。図５の例は、例えば、規格（例えば、ＯｐｅｎＡＤＲなど）に従った設定画面の例を示す。図５の例では、制御期間が合計で３時間３０分であり、制御期間が５つのインターバル期間で区分されている。制御指示を手動で設定又は変更する場合、操作者は、制御開始時刻、制御終了時刻を決定する必要がある。そして、操作者は、制御期間を、いくつのインターバル期間で区切るか、各インターバル期間の長さをどの程度にするか、各インターバル期間での制御の強さを決定する必要がある。そして、決定したそれぞれの項目を手動で入力する必要があり、入力項目が多く、操作者の労力が大きい。
【００６２】
一方、本実施の形態の電力需給管理装置５０によれば、表示画面６１上で目標需要電力量を描画するだけで、制御指示が自動的に生成されるので、制御期間（制御開始時刻、制御終了時刻）、制御期間の分割、分割された各期間（インターバル期間）での制御の強さ（抑制量）を入力する必要がないので、簡単に制御指示を生成することができる。
【００６３】
図６は本実施の形態の電力需給管理装置５０が生成した制御指示に基づく各電力量の表示例の一例を示す模式図である。図中、符号Ａで示すグラフは、予測需要電力量（制御指示なし）であり、符号Ｂで示すグラフは描画した目標需要電力量（ユーザ入力）であり、符号Ｃで示すグラフは制御指示に基づく制御を実行した場合の推定需要電力量（理想値）を示し、符号Ｄで示すグラフは制御指示に基づく制御を実行した場合の推定需要電力量（過渡状態考慮）を示す。
【００６４】
図６に示すように、表示制御部５６は、生成部５４が生成した制御指示を実行した場合の推定需要電力量の時間的推移を表示画面６１に表示する。描画した目標需要電力量は、符号Ｃで示すように、需要電力量の理想値と考えることができる。実際には、需要家等の需要電力を調整すべく電気機器等を制御する場合、電気機器等の過渡状態での電力消費特性によって、需要電力量の変化が遅延する場合がある。かかる遅延を考慮した推定需要電力量（符号Ｄで示すグラフ）を表示画面６１に表示することによって、目標需要電力量の差違が明瞭になるので、目標需要電力量をさらに修正（更新）する必要があるか否かの判断材料とすることができる。
【００６５】
図７は本実施の形態の電力需給管理装置５０が生成した制御指示に基づく削減効果の表示例の一例を示す模式図である。図中、符号Ａで示すグラフは、予測需要電力量（制御指示なし）であり、符号Ｂで示すグラフは描画した目標需要電力量（ユーザ入力）であり、符号Ｄで示すグラフは制御指示に基づく制御を実行した場合の推定需要電力量（過渡状態考慮）を示す。
【００６６】
図７に示すように、表示制御部５６は、生成部５４が生成した制御指示を実行した場合の電力量削減に係る情報を表示画面６１に表示する。電力量削減に係る情報は、例えば、抑制することができた電力量、あるいは節約することができた電気料金などを含む。これにより、目標電力量によって得られる効果を把握することができる。
【００６７】
図８は本実施の形態の電力需給管理装置５０による制御指示の生成方法の第２例を示す模式図である。図８の例では、抑制量（制御の強さ）をレベル（例えば、レベル０、１、２、３の如く）指定する場合を示し、制御指示（制御イベント）は、時間経過とともに、段階的に、レベル３、２、３のように３つのインターバル期間で表される。レベルは、当該インターバル期間での予測需要電力量に対する抑制量を表し、例えば、レベルの数値が小さいほど、抑制量が大きいとすることができる。レベルの数値が大きいほど、抑制量が大きいとすることもできる。
【００６８】
生成部５４は、符号Ｂで示す目標需要電力量に最も近いレベルを特定して制御指示を生成する。すなわち、生成部５４は、単位制御時間毎に目標需要電力量に最も近いレベルを特定し、特定したレベルを制御開始時刻から制御終了時刻まで繋げることにより、時間経過とともに、段階的に、レベル３、２、３のように３つのインターバル期間で表される制御指示（制御イベント）を生成する。
【００６９】
図９は本実施の形態の電力需給管理装置５０による目標需要電力量の描画の他の例を示す模式図である。図９の例では、描画した目標需要電力量が、予測需要電力量を下回る期間だけでなく、予測需要電力量を上回る期間も存在する。目標需要電力量が予測需要電力量を下回る期間では、需要電力量を抑制する節電指示が行われる期間である。一方、目標需要電力量が予測需要電力量を上回る期間では、需要電力量を増やす消費指示が行われる期間となる。図９に示すように、予測需要電力量を上回るように目標需要電力量を描画すると、電力消費を増加させる（例えば、蓄電池の充電、給湯器の作動開始、空調機の作動開始など）制御指示となる。
【００７０】
通信部５２は、出力部としての機能を有し、生成部５４が生成した制御指示を所定の形式で出力する。所定の形式は、例えば、規格等に定められたフォーマットとすることができる。これにより、規格等で定められた形式に従って制御指示を需要家等へ伝達することができる。
【００７１】
次に、本実施の形態の電力需給管理装置５０の動作について説明する。
【００７２】
図１０は本実施の形態の電力需給管理装置５０による処理手順の一例を示すフローチャートである。以下では、便宜上、処理の主体を制御部５１として説明する。操作者が需要電力量の抑制を行う制御対象（例えば、需要家など）を選択する操作を行うことによって、制御部５１は、制御対象を選択し（Ｓ１１）、当該制御対象に係る予測需要電力量を表示画面６１に表示する（Ｓ１２）。
【００７３】
制御部５１は、目標需要電力量の描画操作を受け付け（Ｓ１３）、操作に応じて目標需要電力量を予測需要電力量が表示された表示画面６１に描画する（Ｓ１４）。制御部５１は、目標需要電力量を修正する操作の有無を判定し（Ｓ１５）、目標需要電力量の修正がある場合（Ｓ１５でＹＥＳ）、ステップＳ１３以降の処理を続ける。
【００７４】
目標需要電力量の修正がない場合（Ｓ１５でＮＯ）、制御部５１は、目標需要電力量と予測需要電力量とを比較し（Ｓ１６）、目標需要電力量を実現するための制御イベント案（制御指示案）を生成し（Ｓ１７）、生成した制御イベント案を実行した場合の推定需要電力量及び効果（例えば、抑制することができた電力量、あるいは節約することができた電気料金など）を表示する（Ｓ１８）。
【００７５】
制御部５１は、制御イベント案を採用するための決定操作の有無を判定する（Ｓ１９）。例えば、図７に例示した表示例に基づいて、操作者は、決定操作（例えば、決定ボタン、決定アイコンなどを押す操作）を行うことができる。
【００７６】
決定操作がない場合（Ｓ１９でＮＯ）、制御部５１は、ステップＳ１３以降の処理を行い、決定操作があった場合（Ｓ１９でＹＥＳ）、制御イベント（制御指示）を生成し（Ｓ２０）、生成した制御イベントを制御対象の電力管理装置１００へ出力し（Ｓ２１）、処理を終了する。
【００７７】
本実施の形態の制御指示生成装置は、ＣＰＵ（プロセッサ）、ＲＡＭなどを備えた汎用コンピュータを用いて実現することもできる。すなわち、図１０に示すような、各処理の手順を定めたコンピュータプログラムをコンピュータに備えられたＲＡＭにロードし、コンピュータプログラムをＣＰＵ（プロセッサ）で実行することにより、コンピュータ上で制御指示生成装置を実現することができる。
【００７８】
本実施の形態の制御指示生成装置は、系統側管理装置１０にも適用することができる。この場合、系統側管理装置１０は、生成した制御指示を制御対象である需要家及び発電所（太陽光発電所を含む）内の電力管理装置、あるいはアグリゲータ内の電力需給管理装置５０へ送信することができる。
【００７９】
アグリゲータを階層的に接続した構成の場合、電力需給管理装置５０が生成した制御指示を、制御対象のアグリゲータ内の電力需給管理装置５０へ送信することもできる。
【００８０】
上述の実施の形態では、電力需給管理装置５０と表示装置６０とは別個の装置であったが、これに限定されるものではなく、例えば、表示装置６０内に本実施の形態の制御指示生成装置の機能を組み込むこともできる。
【００８１】
開示された実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００８２】
１０  系統側管理装置
５０  電力需給管理装置
５１  制御部
５２  通信部
５３  特定部
５４  生成部
５５  記憶部
５６  表示制御部
５７  描画部
５８  受付部
６０  表示装置
６１  表示画面
１００  電力管理装置
【図１】
2018206293.tif 000003
【図２】
2018206293.tif 000004
【図３】
2018206293.tif 000005
【図４】
2018206293.tif 000006
【図５】
2018206293.tif 000007
【図６】
2018206293.tif 000008
【図７】
2018206293.tif 000009
【図８】
2018206293.tif 000010
【図９】
2018206293.tif 000011
【図１０】
2018206293.tif 000012